(57)【要約】【課題】塵埃を好適に除去できるエアフィルター及びプロジェクターを提供すること。【解決手段】エアフィルター５は、通過する空気に含まれる塵埃を捕捉するフィルター本体５１と、フィルター本体５１の端縁を囲む保持枠５２と、を有し、保持枠５２は、弾性材料により形成されている。保持枠５２は、例えば、フィルター本体５１を通過する空気の進行方向基端側の第１面５２Ａ、及び、当該進行方向先端側の第２面５２Ｂを有し、第１面５２Ａ及び第２面５２Ｂの一方には、突出部５２Ａ１が設けられている。【選択図】図２
2014209183.tif 000002
【特許請求の範囲】
【請求項１】
通過する空気に含まれる塵埃を捕捉するフィルター本体と、
前記フィルター本体の端縁を囲む保持枠と、を有し、
前記保持枠は、弾性材料により形成されている
ことを特徴とするエアフィルター。
【請求項２】
請求項１に記載のエアフィルターにおいて、
前記保持枠は、前記フィルター本体を通過する空気の進行方向基端側の第１面、及び、当該進行方向先端側の第２面を有し、
前記第１面及び前記第２面の一方には、突出部が設けられている
ことを特徴とするエアフィルター。
【請求項３】
請求項２に記載のエアフィルターにおいて、
前記保持枠は、前記空気の進行方向に直交する方向に互いに対向する一対の縁部を有し、
前記一対の縁部の各縁部の前記第１面と、当該各縁部の前記第２面との一方に、前記突出部が設けられている
ことを特徴とするエアフィルター。
【請求項４】
請求項３に記載のエアフィルターにおいて、
前記突出部は、前記フィルター本体を通過する空気の流通方向から見て、当該突出部が設けられた前記縁部の長手方向の両端のうち、一端側が他端側に比べて前記縁部から突出するテーパー状を有する
ことを特徴とするエアフィルター。
【請求項５】
請求項１から請求項４のいずれかに記載のエアフィルターにおいて、
前記弾性材料は、エラストマーである
ことを特徴とするエアフィルター。
【請求項６】
画像を投射するプロジェクターであって、
外装を構成する外装筐体を備え、
前記外装筐体は、
外部の空気を内部に導入する導入口と、
前記導入口に応じた位置に設けられる、請求項１から請求項５のいずれかに記載のエアフィルターと、
前記保持枠と対向する一対の対向面と、を有する
ことを特徴とするプロジェクター。
【発明の詳細な説明】
【技術分野】
【０００１】
本発明は、エアフィルター及びプロジェクターに関する。
【背景技術】
【０００２】
従来、外装筐体に設けられた吸気孔を介して外部の空気を内部に導入し、導入した空気を光源装置や光変調装置等の冷却対象に供給するプロジェクターが知られている。
ところで、プロジェクターの外部の空気には塵埃が含まれることがあり、当該塵埃が内部に導入されると、光学部品に塵埃が付着する等して投射される画像が劣化したり、プロジェクターの構成部品に不具合が発生したりする可能性がある。このため、塵埃を除去するフィルター本体と、当該フィルター本体を保持する保持枠とを有するエアフィルターを吸気孔に設ける構成が知られている（例えば、特許文献１参照）。
【先行技術文献】
【特許文献】
【０００３】
【特許文献１】特開２０１０−１２２２８１号公報
【発明の概要】
【発明が解決しようとする課題】
【０００４】
しかしながら、保持枠が外装筐体に密着していないと、当該保持枠と外装筐体との隙間から当該外装筐体の内部に空気が導入されることがある。この場合、空気に含まれる塵埃が外装筐体の内部に導入されてしまうという問題がある。
【０００５】
本発明は、塵埃を好適に除去できるエアフィルター及びプロジェクターを提供することを目的の１つとする。
【課題を解決するための手段】
【０００６】
本発明の第１態様に係るエアフィルターは、通過する空気に含まれる塵埃を捕捉するフィルター本体と、前記フィルター本体の端縁を囲む保持枠と、を有し、前記保持枠は、弾性材料により形成されていることを特徴とする。
【０００７】
上記第１態様によれば、電子機器の外装筐体内に形成された一対の対向面の間にエアフィルターが介装される場合、当該各対向面と、弾性材料により形成された保持枠とを密着させることができる。これにより、保持枠と当該保持枠に対向する対向面との隙間から外装筐体の内部に空気が導入されることを抑制できる。従って、塵埃をフィルター本体によって好適に除去できる。また、保持枠と当該対向面とが密着することで、保持枠のがたつきを抑制できる。
また、保持枠が弾性材料により形成されているので、エアフィルターが装着される電子機器の外装筐体が湾曲している場合でも、当該外装筐体の湾曲形状に応じて保持枠が変形するので、外装筐体の形状に沿ってエアフィルターを配置できる。
【０００８】
上記第１態様では、前記保持枠は、前記フィルター本体を通過する空気の進行方向基端側の第１面、及び、当該進行方向先端側の第２面を有し、前記第１面及び前記第２面の一方には、突出部が設けられていることが好ましい。
【０００９】
ここで、空気の進行方向基端側とは、空気の流れにおける上流側であり、空気の進行方向先端側とは、空気の流れにおける下流側である。
上記第１態様によれば、突出部が変形されるように、エアフィルターが上記一対の対向面の間に介装されることで、突出部が元の形状に戻ろうとする力により、保持枠の第１面及び第２面のうち突出部が設けられていない方の面を、当該面が対向する対向面に密着させることができる。従って、保持枠を外装筐体に好適に密着させることができ、塵埃をフィルター本体によってより好適に除去できる。
【００１０】
上記第１態様では、前記保持枠は、前記空気の進行方向に直交する方向に互いに対向する一対の縁部を有し、前記一対の縁部の各縁部の前記第１面と、当該各縁部の前記第２面との一方に、前記突出部が設けられていることが好ましい。
【００１１】
ここで、上記一対の対向面の間にエアフィルターが介装される場合、上記一対の縁部のうち、一方の縁部のみに突出部が設けられている場合には、他方の縁部における突出部が設けられていない面を、当該面が対向する対向面に密着させづらい。また、上記一対の縁部のうち、一方の縁部の第１面に突出部が設けられ、他方の縁部の第２面に突出部が設けられている場合では、一対の対向面に対して保持枠が傾くため、各縁部において突出部が設けられていない面を、当該面が対向する対向面に密着させづらい。
これに対し、上記第１態様によれば、各縁部における第１面又は第２面に突出部がそれぞれ設けられていることにより、各対向面に対する保持枠の傾きを抑制できるとともに、保持枠の第１面及び第２面のうち突出部が設けられていない方の面を、当該面が対向する対向面に密着させることができる。従って、保持枠を上記対向面により好適に密着させることができ、塵埃をフィルター本体によってより好適に除去できる。
【００１２】
上記第１態様では、前記突出部は、前記フィルター本体を通過する空気の流通方向から見て、当該突出部が設けられた前記縁部の長手方向の両端のうち、一端側が他端側に比べて前記縁部から突出するテーパー状を有することが好ましい。
上記第１態様によれば、突出部は、テーパー状に形成されているので、エアフィルターを電子機器の外装筐体に形成された開口部に挿入して上記一対の対向面の間に介装する場合、突出部にて生じる摺動抵抗を低減できる。従って、保持枠を当該開口部内に容易に挿入できる。
【００１３】
上記第１態様では、前記弾性材料は、エラストマーであることが好ましい。
上記第１態様によれば、上記一対の対向面の間にエアフィルターが介装される場合、保持枠と当該各対向面とを好適に密着させることができる。
【００１４】
本発明の第２態様に係るプロジェクターは、画像を投射するプロジェクターであって、外装を構成する外装筐体を備え、前記外装筐体は、外部の空気を内部に導入する導入口と、前記導入口に応じた位置に設けられる前述のエアフィルターと、前記保持枠と対向する一対の対向面と、を有することを特徴とする。
【００１５】
上記第２態様によれば、前述のエアフィルターと同様の効果を奏することができる。
すなわち、エアフィルターの保持枠が弾性材料により形成されているため、保持枠を、当該保持枠と対向する対向面に密着させることができる。これにより、保持枠と一対の対向面との隙間から外装筐体の内部に空気が導入されることを抑制できる。従って、塵埃をフィルター本体によって好適に除去できる他、一対の対向面の間でエアフィルターががたつくのを抑制できる。更に、導入口を有する外装筐体が湾曲している場合でも、当該外装筐体の形状に沿ってエアフィルターを配置できる。
【図面の簡単な説明】
【００１６】
【図１】本発明の一実施形態に係るプロジェクターの斜視図。
【図２】前記実施形態におけるエアフィルターの斜視図。
【図３】前記実施形態におけるエアフィルターの取り付け構造を示す部分断面図。
【図４】前記実施形態におけるエアフィルターの取り付け構造を示す部分断面図。
【図５】前記実施形態の変形であるエアフィルターの取り付け構造を示す部分断面図。
【図６】前記実施形態の変形であるエアフィルターの断面図。
【図７】前記実施形態の変形であるエアフィルターの斜視図。
【発明を実施するための形態】
【００１７】
以下、本発明の一実施形態について、図面に基づいて説明する。
［プロジェクターの外観構成］
図１は、プロジェクター１を前面上方側から見た斜視図である。
プロジェクター１は、光源から射出された光束を画像情報に応じて変調して画像光を形成し、形成した画像光をスクリーン等の被投射面（図示略）上に拡大投射するものである。このようなプロジェクター１は、図１に示すように、外装筐体２と、当該外装筐体２内に収納される装置本体４とを備える。
これらのうち、装置本体４は、一部の構成の図示を省略するが、前述の光源と、当該光源から出射された光を変調する光変調装置と、変調された光（画像光）を投射する投射光学装置４１とを備える。また、装置本体４は、冷却対象に空気を送風する冷却ファン４２（図３参照）を備える他、電源装置及び制御装置を備える。
【００１８】
［外装筐体の構成］
外装筐体２は、図１に示すように、前面部２１、背面部２２、右側面部２３、左側面部２４、天面部２５及び底面部２６を有し、これらにより略直方体形状を有する。
これらのうち、右側面部２３の前面側には、外装筐体２の外部の空気を内部に導入する導入口としての吸気口２３Ａが形成されている。この吸気口２３Ａの内側には、当該吸気口２３Ａを通過する空気から塵埃を除去するエアフィルター５が収納されるフィルター収納部２７が設けられている。
天面部２５には、当該フィルター収納部２７に対してエアフィルター５を挿抜するための開口２５Ａが、右側面部２３に沿って形成されている。
【００１９】
［エアフィルターの構成］
図２は、保持枠５２に対してフィルター本体５１を装着する方向から見たエアフィルター５を示す斜視図である。なお、以下の説明で、Ｚ方向は、エアフィルターを通過する空気の進行方向である。また、Ｘ方向及びＹ方向は、Ｚ方向に直交し、かつ、互いに直交する方向である。これらのうち、Ｙ方向は、開口２５Ａへのエアフィルター５の挿抜方向と平行である。
エアフィルター５は、図２に示すように、フィルター本体５１と、フィルター本体５１を支持する保持枠５２とを有する。
フィルター本体５１は、通過する空気に含まれる塵埃を捕捉するものであり、略矩形状に形成されている。このフィルター本体５１は、吸気口２３Ａの面積より大きな面積を有するように形成されている。
【００２０】
保持枠５２は、略矩形枠形状を有し、フィルター本体５１の端縁を囲んで保持するものである。この保持枠５２は、全体がエラストマー等の弾性材料により形成されている。
このような保持枠５２は、それぞれＸ方向に延在しＹ方向において互いに対向する１対の縁部５２１，５２２と、Ｙ方向に延在しＸ方向において互いに対向する一対の縁部５２３，５２４とを有する。具体的に、縁部５２１は、Ｙ方向先端側に位置し、縁部５２２は、Ｙ方向基端側に位置する。また、縁部５２３は、Ｘ方向先端側に位置し、縁部５２４は、Ｘ方向基端側に位置する。これらのうち、縁部５２１には、Ｙ方向先端側に突出する略Ｕ字状の把持部５２１１が設けられている。
【００２１】
また、保持枠５２は、これら縁部５２１〜５２４により囲まれた空間内にＸＹ平面に沿って形成され、フィルター本体５１を支持する支持部５２５を有する。この支持部５２５には、当該フィルター本体５１を通過する空気を流通させる略矩形状の２つの開口部５２６が形成されている。
そして、保持枠５２は、各縁部５２１〜５２４においてＺ方向基端側を向く第１面５２Ａと、Ｚ方向先端側を向く第２面５２Ｂとを有する。
【００２２】
第１面５２Ａにはそれぞれ、Ｚ方向とは反対方向に突出する突出部５２Ａ１が縁部５２１〜５２４と一体形成されている。具体的に、突出部５２Ａ１は、縁部５２１，５２２におけるＸ方向の略中央部分にそれぞれ設けられている他、縁部５２３，５２４におけるＹ方向両端部近傍にそれぞれ設けられている。これら突出部５２Ａ１は、保持枠５２の一部であり、弾性材料により形成されている。このような突出部５２Ａ１は、Ｙ方向先端側（＋Ｙ方向側）の端部５２Ａ２がＹ方向基端側（−Ｙ方向側）の端部５２Ａ３に比べてＺ方向基端側に突出するテーパー状に形成されている。更に、突出部５２Ａ１を含めた保持枠５２のＺ方向の寸法は、後述するフィルター収納部２７（図３及び図４参照）の同方向の寸法より大きくなるように設定されている。
【００２３】
［フィルター収納部の構成］
図３及び図４は、エアフィルター５を外装筐体２に設けられたフィルター収納部２７に挿入した状態を示す図である。これらのうち、図３は、プロジェクター１を上方から見た部分断面図であり、図４は、プロジェクター１を前面から見た部分断面図である。
外装筐体２の右側面部２３には、図３及び図４に示すように、外装筐体２における上下方向が深さ方向となるフィルター収納部２７が設けられている。このフィルター収納部２７は、吸気口２３Ａの左右端縁に形成された一対の凹部２８，２９（図３）と、当該吸気口２３Ａの下方の端縁に形成された凹部３０（図４）とを有し、これら凹部２８〜３０により構成され、エアフィルター５を通過する空気の流通方向に沿って互いに対向する一対の対向面２７Ａ，２７Ｂを有する。
【００２４】
具体的に、吸気口２３Ａにおける前面側に位置する凹部２８（図３における右側の凹部２８）は、図３に示すように、エアフィルター５に対する空気の流通方向であるＧ１方向において互いに対向する一対の側面２８１，２８２と、当該側面２８１，２８２の前面側の端部間を接続する接続面２８３とを有する。
吸気口２３Ａにおける背面側に位置する凹部２９（図３における左側の凹部２９）は、上記Ｇ１方向において互いに対向する一対の側面２９１，２９２と、当該側面２９１，２９２の背面側の端部間を接続する接続面２９３とを有する。
これら凹部２８，２９は、接続面２８３，２９３が互いに対向するように配置され、各面２８１〜２８３，２９１〜２９３は、それぞれ上記上下方向に沿って形成されている。
【００２５】
凹部３０は、図４に示すように、上記Ｇ１方向において互いに対向する一対の側面３０１，３０２と、当該側面３０１，３０２の下方側の端部間を接続する接続面３０３とを有する。
側面３０１は、側面２８１，２９１の他、開口２５Ａの端縁を構成する右側面部２３側の内面３１と連続した面として形成され、これら各面２８１，２９１，３０１，３１により、対向面２７Ａが構成されている。
側面３０２は、側面２８２，２９２の他、開口２５Ａの端縁を構成する左側面部２４側の内面３２と連続した面として形成されて、これら各面２８２，２９２，３０２，３２により、対向面２７Ｂが構成されている。
【００２６】
このようなフィルター収納部２７にエアフィルター５を介装する際には、対向面２７Ａに第１面５２Ａが対向し、対向面２７Ｂに第２面５２Ｂが対向するようにして、縁部５２２側からエアフィルター５をＹ方向とは反対方向に開口２５Ａに挿入する。
エアフィルター５がフィルター収納部２７に介装された状態では、凹部３０内に縁部５２２が配置され、凹部２８，２９内に縁部５２３，５２４がそれぞれ配置される。この際、縁部５２２に設けられた突出部５２Ａ１は、側面３０１に当接し、縁部５２３，５２４に設けられた突出部５２Ａ１は、側面２８１，２９１に当接する。更に、縁部５２１に設けられた突出部５２Ａ１は、内面３１に当接される。
【００２７】
ここで、保持枠５２のＺ方向に沿う寸法は、対向面２７Ａ，２７Ｂ間の寸法より僅かに大きいため、各突出部５２Ａ１は保持枠５２の枠内方向に変形して、保持枠５２に対して対向面２７Ｂ側への弾性応力を作用させる。
このため、縁部５２１の突出部５２Ａ１により、当該縁部５２１における第２面５２Ｂは内面３２に押圧され、縁部５２２の突出部５２Ａ１により、当該縁部５２２における第２面５２Ｂは側面３０２に押圧される。また、縁部５２３の突出部５２Ａ１により、当該縁部５２３における第２面５２Ｂは側面２８２に押圧され、縁部５２４の突出部５２Ａ１により、当該縁部５２４における第２面５２Ｂは、対向面２９２に押圧される。
このように、保持枠５２の第２面５２Ｂは、対向面２７Ｂに密着する。
これにより、保持枠５２の第２面５２Ｂと対向面２７Ｂとの間に隙間が形成されないので、吸気口２３Ａ近傍に配置される冷却ファン４２の駆動により、吸気口２３Ａから導入される空気は、確実にフィルター本体５１を通過して外装筐体２の内部に導入されることとなる。従って、フィルター本体５１を通過していない空気（例えば、Ｇ２方向に沿って流通する空気）が、上記隙間を介して外装筐体２の内部に導入されることを抑制できる。
【００２８】
また、外装筐体２の右側面部２３の下端部分は、図１及び図４に示すように、曲面状に湾曲している。更に、図示を省略するが、左側面部２４の下端部分も同様に湾曲している。また、右側面部２３の前面端付近及び背面端付近、及び、左側面部２４の前面端付近及び背面端付近も同様に湾曲している。これは、デザイン性の向上や、外装筐体２の側面部が全域に亘って平面である場合（点線で示す形状の場合）と比べて省スペース化を図れるという目的によるものである。
このように湾曲した右側面部２３に設けられたフィルター収納部２７に介装されるエアフィルター５の保持枠５２は、上記のように、弾性材料により形成されているので、当該フィルター収納部２７の形状に沿って湾曲する。これにより、当該フィルター収納部２７の下端まで挿入できる。
【００２９】
以上説明した本実施形態に係るプロジェクター１によれば、以下の効果がある。
エアフィルター５をフィルター収納部２７に挿入した場合、保持枠５２が弾性材料により形成されているため、保持枠５２の第２面５２Ｂは対向面２７Ｂに密着する。これにより、保持枠５２と第２面５２Ｂとの間に隙間が形成されることを抑制でき、当該隙間から外装筐体２の内部に空気が導入されることを抑制できる。従って、外装筐体２内に導入される空気から塵埃をフィルター本体５１によって好適に除去できる。また、保持枠５２と外装筐体２とが密着することで、エアフィルター５のがたつきを抑制できる。
また、保持枠５２が弾性材料により形成されているため、当該保持枠５２が変形することで、外装筐体２に沿ってエアフィルター５を配置できる。
【００３０】
保持枠５２の第１面５２Ａには、突出部５２Ａ１が設けられている。これによれば、エアフィルター５をフィルター収納部２７に挿入した場合、突出部５２Ａ１が変形して保持枠５２に弾性応力を作用させるので、当該保持枠５２の第２面５２Ｂを対向面２７Ｂに密着させることができる。従って、第２面５２Ｂと対向面２７Ｂとの間に隙間が生じることを確実に抑制できるので、外装筐体２内に導入される空気がフィルター本体５１を通過するように構成することができ、当該空気に含まれる塵埃をフィルター本体５１によってより好適に除去できる。
【００３１】
各縁部５２３，５２４の第１面５２Ａ側には、それぞれ突出部５２Ａ１が設けられている。これによれば、エアフィルター５をフィルター収納部２７に挿入した場合、各縁部５２３，５２４の突出部５２Ａ１を側面２８１，２９１、すなわち、対向面２７Ａに当接させることができる。これによれば、縁部５２３，５２４の一方の縁部のみに突出部５２Ａ１が設けられている場合に生じるがたつきや、一方の縁部の第１面５２Ａ側に突出部が設けられ、他方の縁部の第２面５２Ｂ側に突出部が設けられている場合に生じるエアフィルター５の傾きの発生を抑制できる。従って、保持枠５２をフィルター収納部２７により好適に密着させることができ、塵埃をフィルター本体５１によってより好適に除去できる。
更に、本実施形態では、縁部５２３，５２４の第１面５２Ａ側には、Ｙ方向における両端部付近にそれぞれ突出部５２Ａ１が設けられ、縁部５２１，５２２の第１面５２Ａ側にも突出部５２Ａ１が設けられているため、エアフィルター５の傾きを確実に抑制できる。
【００３２】
突出部５２Ａ１は、Ｙ方向先端側の端部がＹ方向基端側の端部より突出するテーパー状に形成されている。これによれば、エアフィルター５をフィルター収納部２７に挿入する際、突出部５２Ａ１の摺動抵抗を低減できる。従って、エアフィルター５をフィルター収納部２７に容易に挿入できる。
【００３３】
［実施形態の変形］
本発明は前述の実施形態に限定されるものではなく、本発明の目的を達成できる範囲での変形、改良等は本発明に含まれるものである。
前記実施形態では、吸気口２３Ａ及びフィルター収納部２７は、図３に示したように、右側面部２３において前後方向（図３における左右方向）の外縁が比較的平坦な部位に設けられ、当該フィルター収納部２７にエアフィルター５を挿入するための開口２５Ａを天面部２５に設けることとしたが、本発明はこれに限らない。すなわち、外装筐体２におけるエアフィルター５の装着位置は、どこでもよい。
【００３４】
図５は、プロジェクター１を天面部２５側から見た部分断面図である。すなわち、図５は、外装筐体２の水平方向の断面を天面部２５側から見た部分断面図である。
例えば、図５の例では、吸気口２３Ａ及びフィルター収納部２７は、右側面部２３の湾曲した前面端部付近に一部がかかるようにして設けられている。なお、図中の点線は、前面部２１及び右側面部２３が全域に亘って平坦面である場合の形状を示す。
このような湾曲したフィルター収納部２７に対してエアフィルター５を介装する場合でも、弾性材料により形成された保持枠５２がフィルター収納部２７の湾曲形状に合わせて湾曲するので、当該フィルター収納部２７の前面端までエアフィルター５を挿入できる。
【００３５】
前記実施形態では、保持枠５２に突出部５２Ａ１が設けられているが、本発明はこれに限らない。すなわち、保持枠５２に突出部５２Ａ１はなくてもよい。また、突出部５２Ａ１を設ける場合でも、当該突出部５２Ａ１の数及び配置は適宜変更可能である。例えば、縁部５２１，５２２に突出部は無くてもよく、縁部５２３，５２４にそれぞれ１つ、或いは、３つ以上の突出部５２Ａ１を設ける構成としてもよい。
【００３６】
前記実施形態では、突出部５２Ａ１は、保持枠５２の第１面５２Ａに設けられているが、本発明はこれに限らない。すなわち、突出部５２Ａ１は、保持枠５２の第２面５２Ｂに設けられていてもよい。また、エアフィルター５をフィルター収納部２７に挿入する際に、保持枠５２において突出部が設けられた面が対向面２７Ａに対向するように配置しなくてもよく、当該突出部が設けられた面が対向面２７Ｂに対向するように配置してもよい。
【００３７】
前記実施形態では、突出部５２Ａ１はテーパー状を成しているが、本発明はこれに限らない。すなわち、突出部５２Ａ１は、縁部５２１〜５２４からＺ方向に沿って突出していれば、どのような形状であってもよい。
前記実施形態では、保持枠５２の全体が弾性材料により形成されているが、本発明はこれに限らない。すなわち、保持枠５２のうち、フィルター収納部２７の対向面２７Ａ又は対向面２７Ｂと密着する部位が弾性材料により形成されている構成としてもよい。
【００３８】
前記実施形態では、エアフィルター５は、外装筐体２に形成されたフィルター収納部２７に開口２５Ａを介して挿入される構成であったが、本発明はこれに限らない。すなわち、外装筐体２と、当該外装筐体２に取り付けられる蓋部材との間にエアフィルター５が介装されるように構成してもよい。この場合、外装筐体２における吸気口の端縁と、蓋部材における当該端縁に対向する部位とが一対の対向面となり、当該一対の対向面のいずれかに保持枠５２の第１面５２Ａ又は第２面５２Ｂのいずれかを密着させることができる。
【００３９】
前記実施形態では、突出部５２Ａ１は、保持枠５２の枠内方向に変形するとしたが、本発明はこれに限らない。すなわち、突出部５２Ａ１の変形によって生じる弾性応力により、保持枠５２が対向面２７Ａ，２７Ｂのいずれかに押圧されるのであれば、突出部５２Ａ１の変形方向は問わない。なお、各突出部５２Ａ１を上記枠内方向に変形させるのであれば、突出部５２Ａ１における突出方向先端部の面を、枠内方向に向けて高さが高くなるような斜面としたり、突出部５２Ａ１を予め枠内方向に傾倒した形状にしたりすることで、図３に示すように、突出部５２Ａ１を枠内方向に確実に傾倒させることができる。
ここで、突出部５２Ａ１が枠内方向とは反対の枠外方向に傾倒する場合には、突出部５２Ａ１を当該枠外方向に押す力がはたらき、保持枠５２を構成する縁部５２１，５２２のＸ方向における中央付近が撓むことがあるが、本実施形態では、突出部５２Ａ１は当該枠内方向に傾倒するため、保持枠５２が撓むことを抑制できる。
【００４０】
図６は、エアフィルター５の変形例であるエアフィルター５Ｃを示す図である。図６は、フィルター収納部２７から取り出された状態のエアフィルター５Ｃを、フィルター収納部２７へのエアフィルター５Ｃの挿入方向から見た断面図である。
エアフィルター５Ｃでは、保持枠５２Ｃの突出部５２Ａ１の形状が、エアフィルター５の突出部５２Ａ１の形状と異なっている。その他の構成は、エアフィルター５と同様である。
すなわち、保持枠５２Ｃの突出部５２Ａ１は、図６に示すように、当該突出部５２Ａ１の枠内方向先端側の端部５２Ａ４が枠内方向基端側の端部５２Ａ５よりも、保持枠５２Ｃに対してフィルター本体５１が装着される方向とは反対方向（Ｚ方向とは反対の方向）に突出するテーパー状に形成されている。
換言すると、突出部５２Ａ１は、上記反対方向に向かうに従って、上記挿入方向に直交し、かつ、当該反対方向に直交する方向（Ｘ方向）の寸法が小さくなるように形成されている。更に、突出部５２Ａ１は、枠内方向基端側の外縁が上記反対方向に向かうに従って枠内方向先端側の外縁に近接するように形成されている。なお、突出部５２Ａ１は、枠内方向先端側の外縁が上記反対方向に向かうに従って枠内方向基端側の外縁に近接するように形成されていてもよい。
更に、保持枠５２Ｃの突出部５２Ａ１は、エアフィルター５の突出部５２Ａ１と同様に、上記挿入方向基端側の端部が上記挿入方向先端側の端部に比べて上記反対方向に突出するテーパー状に形成されていてもよい。
【００４１】
図７は、エアフィルター５の変形例であるエアフィルター５Ｄを示す図である。図７は、保持枠５２Ｄに対してフィルター本体５１を装着する方向から見たエアフィルター５Ｄを示す斜視図である。エアフィルター５Ｄでは、保持枠５２Ｄの突出部５２Ａ１は、縁部５２１〜５２４とは別の材料で構成されている。その他の構成は、エアフィルター５と同様である。エアフィルター５Ｄでは、突出部５２Ａ１は、縁部５２１〜５２４に接着剤で接着されていてもよく、突出部５２Ａ１と縁部５２１〜５２４とが二色成形（ダブルモールド）により一体的に形成されていてもよい。
これにより、例えば、突出部５２Ａ１を、縁部５２１〜５２４よりも撓みやすい材料で構成することができる。
【００４２】
前記実施形態では、エアフィルター５をプロジェクター１に適用した例を挙げたが、本発明はこれに限らない。すなわち、外装筐体に形成された吸気口を介して外部の空気を内部に導入する際に、当該空気に含まれる塵埃を除去するエアフィルターが採用される電子機器であれば、本発明を適用可能である。
【産業上の利用可能性】
【００４３】
本発明は、プロジェクターに利用でき、例えば、エアフィルターを有するプロジェクターに好適に利用できる。
【符号の説明】
【００４４】
１…プロジェクター、２…外装筐体、５，５Ｃ，５Ｄ…エアフィルター、５１…フィルター本体、５２，５２Ｃ，５２Ｄ…保持枠、２３Ａ…吸気口（導入口）、２７Ａ，２７Ｂ…対向面、５２Ａ…第１面、５２Ｂ…第２面、５２１〜５２４…縁部、５２Ａ１…突出部。
【図１】
2014209183.tif 000003
【図２】
2014209183.tif 000004
【図３】
2014209183.tif 000005
【図４】
2014209183.tif 000006
【図５】
2014209183.tif 000007
【図６】
2014209183.tif 000008
【図７】
2014209183.tif 000009